(57)【要約】【課題】従来の構成では、オイルとシリンダとの間で熱交換が充分行われずシリンダを冷却することができなかった。その結果、シリンダが高温になり、吸入ガスを加熱して圧縮機効率を低下させていた。【解決手段】本発明は、圧縮機構部の吸入口４付近にのみ圧縮機構部を連通する連通孔５を設けた。これにより、上軸受２上部に溜まったオイルは、上軸受２周縁部に流れ出し、最終的に吸入口４付近に設けられた連通孔５に流れ込む。このようにして、オイルが連通孔５に接触しながら通過することにより、高温となった圧縮機構部とオイルの間で熱交換が行われ、吸入口４付近の温度を下げる効果が得られる。これにより、吸入ガスの加熱が抑制され、効率低下を防ぐことが可能となる。【選択図】図１
2011058366.tif 000002
【特許請求の範囲】
【請求項１】
密閉容器内に圧縮機構部とオイルを備え、圧縮機構部の吸入口周辺に、圧縮機構部を連通する長孔からなる単数の連通孔を設けたことを特徴とする密閉型圧縮機。
【請求項２】
圧縮機構部の吸入口周辺に、圧縮機構部を連通する長孔からなる複数の連通孔を設けたことを特徴とする請求項１に記載の密閉型圧縮機。
【請求項３】
圧縮機構部の吸入口周辺に、圧縮機構部を連通する丸孔からなる単数の連通孔を設けたことを特徴とする請求項１に記載の密閉型圧縮機。
【請求項４】
圧縮機構部の吸入口周辺に、圧縮機構部を連通する丸孔からなる複数の連通孔を設けたことを特徴とする請求項１に記載の密閉型圧縮機。
【請求項５】
圧縮機構部の吸入口周辺に、圧縮機構部を連通する丸孔と長孔からなる複数の連通孔を設けたことを特徴とする請求項１に記載の密閉型圧縮機。
【請求項６】
塩素を含まないＨＦＣ冷媒を用いた請求項１〜５いずれか１項に記載の密閉型圧縮機。
【請求項７】
二酸化炭素、ヘリウム、アンモニア等の自然冷媒を用いた請求項１〜５いずれか１項に記載の密閉型圧縮機。
【請求項８】
ナフテン油、パラフィン油、アルキルベンゼン油などの天然物あるいは天然物由来のオイル、およびポリエーテル系油、ポリオールエステル系油などの合成オイル、または上記天然物あるいは天然物由来のオイルと合成オイルの混合オイルなどを用いた請求項１〜５いずれか１項に記載の密閉型圧縮機。
【請求項９】
ベンゾトリアゾールなどの銅不活性化剤、硫黄系極圧添加剤、ハロゲン系極圧添加剤、りん系極圧添加剤、有機金属化合物系極圧添加剤、およびこれらの組み合わせからなる極圧添加剤などを用いた請求項１〜５いずれか１項に記載の密閉型圧縮機。
【発明の詳細な説明】
【技術分野】
【０００１】
本発明は、空気調和装置や冷蔵庫等の冷凍機器に使用される密閉型圧縮機の圧縮機構部の冷却を促進することにより、密閉型圧縮機の性能向上を図るものである。
【背景技術】
【０００２】
従来の密閉型圧縮機は、図３に示すように、上軸受２の周縁部に複数の開口部６が設けられており、シャフト１の回転によって上軸受２の上部まで吸上げられたオイルは前記開口部６を通り、密閉容器底部に戻されていた（例えば、特許文献１参照）。
【先行技術文献】
【特許文献】
【０００３】
【特許文献１】特開昭６１−２５５２９０号公報
【発明の概要】
【発明が解決しようとする課題】
【０００４】
しかしながら、上記従来の構成ではシャフト１の回転により吸い上げられたオイルは、高温部であるシリンダ３の外周部を通り、密閉容器内の底部に戻されてしまうため、オイルとシリンダ３との間で熱交換が充分行われずシリンダ３を冷却する効果が低い。
【０００５】
通常、シリンダ３の下部は密閉容器内の底部に貯留されているオイルに浸かっている事である程度の冷却効果を有するが、初期のオイル封入量、運転時のオイル吐出等により、シリンダ３とオイルとが接しない若しくは接触面積が小さくなることがあり、冷却効果が著しく低下してしまっていた。
【０００６】
そして高温となったシリンダ３が吸入ガスを加熱し、圧縮機の効率を低下させるという課題を有していた。
【課題を解決するための手段】
【０００７】
前記従来の課題を解決するために、本発明は図１に示すように、従来上軸受２の周縁部に設けられていた開口部６を塞ぎ、新たに圧縮機構部の吸入口４付近に圧縮機構部を連通する連通孔５を設けた。
【０００８】
これにより、シャフト１の回転によって上軸受２の上部まで吸上げられたオイルが前記連通孔５を通過する際に、オイルとシリンダ３との間で充分な熱交換を行われ、シリンダ３に設けられた吸入口４の周辺部を効果的に冷却し、吸入ガスの過熱を最小限に抑えることができる。
【発明の効果】
【０００９】
本発明により、吸入ガスの過熱を最小限に抑えることができるため、吸入ガス加熱による性能低下を防ぐことができる。
【図面の簡単な説明】
【００１０】
【図１】本発明の実施の形態１における圧縮機構部の構成図
【図２】本発明の実施の形態２における圧縮機構部の構成図
【図３】従来の圧縮機構部の構成図
【発明を実施するための形態】
【００１１】
第１の発明は、圧縮機構部の吸入口周辺に圧縮機構部を連通する長孔からなる単数の連通孔を設けることにより、前記連通口内をオイルが通過しオイルとシリンダとの間で熱交換が行われ、シリンダに設けられた吸入口周辺部を効果的に冷却する作用を有し、吸入ガスの過熱を最小限に抑えることができる。
【００１２】
第２の発明は、特に第１の発明において、長孔からなる複数連通孔を設けたことを特徴とする密閉型圧縮機である。
【００１３】
第３の発明は、特に第１の発明において、丸孔からなる単数の連通孔を設けたことを特徴とする密閉型圧縮機である。
【００１４】
第４の発明は、特に第１の発明において、丸孔からなる複数の連通孔を設けたことを特徴とする密閉型圧縮機である。
【００１５】
第５の発明は、特に第１の発明において、丸孔と長孔からなる複数の連通孔を設けたことを特徴とする密閉型圧縮機である。
【００１６】
第６の発明は、第１〜第５の発明において、塩素を含まないＨＦＣ冷媒を用いた密閉型圧縮機である。
【００１７】
第７の発明は、第１〜第５の発明において、二酸化炭素、ヘリウム、アンモニア等の自然冷媒を用いた密閉型圧縮機である。
【００１８】
第８の発明は、第１〜第５の発明において、ナフテン油、パラフィン油、アルキルベンゼン油などの天然物あるいは天然物由来のオイル、およびポリエーテル系油、ポリオールエステル系油などの合成オイル、または上記天然物あるいは天然物由来のオイルと合成オイルの混合オイルなどを用いた密閉型圧縮機である。
【００１９】
第９の発明は、第１〜第５の発明において、ベンゾトリアゾールなどの銅不活性化剤、硫黄系極圧添加剤、ハロゲン系極圧添加剤、りん系極圧添加剤、有機金属化合物系極圧添加剤、およびこれらの組み合わせからなる極圧添加剤などを用いた密閉型圧縮機である。
【００２０】
以下本発明の実施の形態について図面を参照しながら説明する。なお、この実施の形態によって本発明が限定されるものではない。また、各図において、それぞれ同じ構成要素については同じ符号を用い説明を省略する。
【００２１】
（実施の形態１）
図１は、本発明の第１の実施の形態における圧縮機構部の概略図を示すものである。
【００２２】
図１において、圧縮機構部は、シャフト１、上軸受２、シリンダ３、下軸受などから構成されている。本発明は、このように構成された圧縮機構部において、シリンダ３に設けられた吸入口４付近において、各構成要素を連通するような長孔からなる単数の連通孔５を設けたことを特徴とする。
【００２３】
以上のように構成された圧縮機構部について、以下その動作、作用を説明する。
【００２４】
まず、圧縮機が運転を開始すると、シャフト１の回転により、密閉容器底部に貯蔵されたオイルが吸上げられ、シャフト１の中間に設けられたオイル孔から上軸受２上部にオイルが供給される。上軸受２上部に供給されたオイルは、上軸受２周縁部に流れ出し、最終的に吸入口４付近に設けられた連通孔５に流れ込み、密閉容器底部に戻ることができる。
このようにして、オイルが連通孔５に接触しながら通過することにより、高温となった圧縮機構部とオイルの間で熱交換が行われ、吸入口４付近の温度を下げる効果が得られる。これにより、吸入ガスの加熱が抑制され、効率低下を防ぐことが可能となる。
【００２５】
（実施の形態２）
図２は本発明の第２の実施の形態における圧縮機構部の概略図を示すものである。
【００２６】
図２において、上記吸入口４付近の連通孔５を複数の長孔にすることで、オイルにより冷却される範囲が広くなり、実施の形態１の効果をより顕著にすることが可能となる。
【産業上の利用可能性】
【００２７】
以上のように、本発明にかかる密閉型圧縮機は、簡素な構造で、安価でかつ確実に性能低下を防ぐことが可能となるので、空気調和装置や冷蔵庫等の冷凍機器の用途に適用できる。
【符号の説明】
【００２８】
１  シャフト
２  上軸受
３  シリンダ
４  吸入口
５  連通孔
６  開口部
【図１】
2011058366.tif 000003
【図２】
2011058366.tif 000004
【図３】
2011058366.tif 000005